(57)【要約】      （修正有）【課題】普通の深さでの釣りには支障なく、釣りの限界以上の深みに入った時には、浮力を発生する浮力板付きクロロプレーン製のジャケットを提供する。【解決手段】浮力材１２〜１５をクロロプレーン製のジャケット１０の上部に集中して、取り付ける。即ち、脇の下程度の位置よりも上部、即ち、胸の上部、背中の上部及び両腕の上部１４、１５に、厚さ５ｃｍ程度のポリエチレン等の浮力材を、丈夫なポリエステル等の布等で覆い、当該布等を縫い付けるなどして、これを固定する。この構造のジャケットを着用することにより、背の立たないような深い所に流された場合においても、首から上の部分が空気中に出るので、安全が確保されやすいとともに、概ね脇の下以下の水深の場所への立ち込みによる釣りも支障なく行うことができる。【選択図】図１
0003178024.tif 000002
【実用新案登録請求の範囲】
【請求項１】
鮎釣り用クロロプレーン製のジャケットの前面（胸部側）、後面（背中側）及び側面（両腕側）の、おのおの脇の下程度の位置より上の部分に集中して、厚さ５ｃｍ程度のポリエチレン等の浮力材を、丈夫なポリエステル等の布等で覆い、当該布等を縫い付けるなどして、浮力材を固定したことを特徴とする鮎釣り用浮力材付きクロロプレーン製のジャケット。
【請求項２】
ガス充填式による、その都度の浮力の発生とせず、浮力材が常時取り付けられていることを特徴とする請求項１記載の鮎釣り用浮力材付きクロロプレーン製のジャケット。
【考案の詳細な説明】
【技術分野】
【０００１】  本考案は、鮎の友釣りをしているときにおいて、万一、流されたときに、これによる水難事故の防止のため、上半身にあらかじめ着用しておくべき浮力材の付いたクロロプレーン製のジャケットに関するものである。
【背景技術】
【０００２】  鮎の友釣りをする際、上半身に着用するクロロプレーン製のジャケットがあり、これには、若干の浮力がある。【０００３】  一方、よく知られているように、本格的な救命胴衣として、上半身に着用するものとして、大別して２種類のタイプのものがある。即ち、一つは、浮力材を内蔵したものであり、もう一つは、ガス充填式によるものである。
【先行技術文献】
【特許文献】
【０００４】
【特許文献１】  特許公開２００４−１６８２３１
【特許文献２】  特許公開２００５−２５５０３３
【非特許文献】
【０００５】
【非特許文献１】  マルキュー株式会社  ２０１２  マルキュー製品総合カタログ  ４２及び４３ページ
【考案の概要】
【考案が解決しようとする課題】
【０００６】  夏の風物詩とも言われる鮎の友釣りは、ファンが多く、大変人気のある釣りの一つであるが、毎年、水難事故による犠牲者が跡を絶たない。鮎の友釣りをするときは、通常、下半身にクロロプレーン製のタイツを着用する。ただし、流れが速く、かつ、深い所（釣り人の間で、「荒瀬」とか「激流」と呼ばれている所）を釣ることの多い釣り人は、タイツに加えて、体の冷えの防止（保温の確保）と、万一、流されたときに備え、上半身に、クロロプレーン製のジャケットを着用する。なぜなら、このジャケットには、若干の浮力があるからである。鮎釣りが行われる河川は、流れの速い瀬と、これに続く流れが緩やかな淵とから構成されているのが一般的である。もし、流れの速い深い瀬で釣っていて、万一、流されてしまった場合、クロロプレーン製のジャケットを着用していれば、これには、若干の浮力があるので、流れの速い瀬の部分では、浮いていることができる。しかしながら、瀬に続く淵の部分は、流れは緩くはなっているものの、背が立たない程、深くなっている所があり、ここでは、クロロプレーン製のジャケットだけの浮力だけでは、不十分であり、安全を確保することが難しい。
【課題を解決するための手段】
【０００７】  十分な浮力を確保するだけのためであれば、あらかじめ上半身に救命胴衣を着用しておればよい。しかし、救命胴衣のうち、浮力材を内蔵したタイプのものを着用していた場合で、腰以上の深さの所に立ち込んだ場合、すぐに体が浮いてしまい、釣りそのものが成り立たなくなってしまう。また、通常、どんなに深いところに立ち込んで、釣り竿の操作をする場合においても、せいぜい脇の下位までの深さであり、それ以上の深さになれば、釣り竿の操作自体ができなくなるので、体が浮いてしまっても構わない。そこで、浮力の機能を持たせる部分を脇の下程度の位置よりも上部、即ち、胸の上部、背中の上部及び両腕の上部に持たせればよいこととなる。具体的には、これらの部分に、厚さ５ｃｍ程度のポリエチレン等の浮力材を、丈夫なポリエステル等の布等で覆い、当該布等を縫い付けるなどして、浮力材を固定することとした。こうすることにより、形状的には、アメリカンフットボールの選手が着用する防具（ショルダーパッド）に、似たような格好となる。【０００８】  以上、本考案のポイントは、浮力材をクロロプレーン製のジャケットの上部に集中して、取り付ける点にある。
【考案の効果】
【０００９】  何より、万一、背の立たないような深い所へ流された場合においても、本格的な救命胴衣程の浮力はないが、前記のとおり、浮力材が常時、ジャケットの上部に集中して取り付けられていることにより、首から上の部分が空気中に出るので、安全が確保されやすいとともに、概ね脇の下以下の水深の場所への立ち込みによる釣りも支障なく行うことができる。なお、本考案は、このような緊急時のみならず、瀬の中にあるところの、比較的距離は短いが、背が立たない程の深みを通過して、下流に移動する際、より安全な釣り技術の一つとして、使うことができる。【００１０】  また、本考案は、仮に、浮力材を付加する場合においても、見映えや動きやすさの点などから大き過ぎる浮力材を嫌うと思われるサーファーが着用するスーツにおいても、前記と同様の効果が期待でき、有用であると思われる。【００１１】  なお、救命胴衣のうち、ガス充填式のタイプのものを着用して釣りをする場合及び本考案において、浮力材を取り付けることに替えて、ガス充填式とした場合は、ガスの充填が、本人の操作又は自動によるにせよ、いずれも、その都度、行われるものであり、浮力の発揮が常時のものではないとともに、万一の時に、何らかの故障等により、ガスの充填が正常に行われないのではないかといった絶対的な安心感に欠ける嫌いがあり、また、いったん作動させた後は、ガスボンベを交換しなければならないのに対し、本考案は、これらの点において、優れている。
【図面の簡単な説明】
【００１２】
【図１】本考案に係る鮎釣り用浮力材付きクロロプレーン製のジャケットを正面（胸部側）から見た図である。
【図２】本考案に係る鮎釣り用浮力材付きクロロプレーン製のジャケットを左側面から見た図である。
【図３】本考案に係る鮎釣り用浮力材付きクロロプレーン製のジャケットを後面（背中側）から見た図である。
【図４】本考案に係る鮎釣り用浮力材付きクロロプレーン製のジャケットを実際に使用する際、左側面から見た図である。
【図５】本考案に係る鮎釣り用浮力材付きクロロプレーン製のジャケットを使用して、釣りをしているときの状況を示す断面図である。
【図６】本考案に係る鮎釣り用浮力材付きクロロプレーン製のジャケットを使用していて、下流に流され、背の立たない程の深さの所において、体が浮いているときの状況を示す断面図である。
【考案を実施するための形態】
【００１３】  図１から図３までに示したとおり、クロロプレーン製のジャケットの前面（胸部側）、後面（背中側）及び側面（両腕側）の、おのおの脇の下程度の位置より上の部分に集中して、厚さ５ｃｍ程度のポリエチレン等の浮力材を、丈夫なポリエステル等の布等で覆い、当該布等を縫い付けるなどして、浮力材を固定することとする。
【産業上の可能性】
【００１４】
【符号の説明】
【００１５】  １０  鮎釣り用浮力材付きクロロプレーン製のジャケット
１１  ジッパー
１２  胸部右側浮力材
１３  胸部左側浮力材
１４  右腕側浮力材
１５  左腕側浮力材
１６  フック（留め金）
１７  フックの受け側
１８  背中側浮力材
２０  釣り人
２１  水面
２２  川底
【図１】
0003178024.tif 000003
【図２】
0003178024.tif 000004
【図３】
0003178024.tif 000005
【図４】
0003178024.tif 000006
【図５】
0003178024.tif 000007
【図６】
0003178024.tif 000008